(57)【要約】【課題】誘導コードの絡みを防止すること。【解決手段】ワニ口クリップカバー３０は、医療用電極に接続する誘導コード１０と誘導コード１０の端部に設けられたワニ口クリップ２０との連結部分を保護する。ワニ口クリップカバー３０は、可撓性材料から成る。ワニ口クリップカバー３０において、主部３５は、ワニ口クリップ２０の開閉操作部２４ａ、２４ｂのうち誘導コード１０との連結部分を形成する開閉操作部２４ｂに接着され、枝部３７は、主部３５から分枝し、嵌着部３８は、枝部３７の先端に形成され、開閉操作部２４ａ、２４ｂのうち開閉操作部２４ｂに結合する。【選択図】図１
2010233884.tif 000002
【特許請求の範囲】
【請求項１】
医療用電極に接続する誘導コードと前記誘導コードの端部に設けられたワニ口クリップとの連結部分を保護するワニ口クリップカバーであって、
可撓性材料から成る本体部を有し、前記本体部は、
前記ワニ口クリップの一対の開閉操作部のうち前記誘導コードとの前記連結部分を形成する第１の開閉操作部に接着される主部と、
前記主部から分枝する枝部と、
前記枝部の先端に形成され、前記一対の開閉操作部のうち第２の開閉操作部に結合する結合部と、
を有するワニ口クリップカバー。
【請求項２】
前記結合部は、前記枝部の先端部から延在して前記第２の開閉操作部の操作面を被覆する被覆部を有する、
請求項１記載のワニ口クリップカバー。
【請求項３】
前記本体部は、全体が同一色で着色されている、
請求項１記載のワニ口クリップカバー。
【請求項４】
前記主部には、記号が成形されている、
請求項１記載のワニ口クリップカバー。
【発明の詳細な説明】
【技術分野】
【０００１】
本発明は、医療用電極に接続する誘導コードのコネクタとして用いられるワニ口クリップのカバーに関する。
【背景技術】
【０００２】
心電図信号を計測するとき、生体に装着した医療用電極（以下「電極」と略記する）から心電計に誘導コードを介して心電図信号を伝送する（例えば特許文献１参照）。この電極として、使い捨て型を使用することがある。使い捨て型の電極は、誘導コードと別体となっており、使用時に誘導コードと接続される。一般にこのような電極及び誘導コードには、互いに容易に接続し得るよう接続構造が形成されている。
【０００３】
例えば特許文献２には、突起やタブのような接続構造が形成された電極を使用する場合に、この電極に接続するための誘導コードの接続構造としてワニ口クリップを使用することが、記載されている。
【０００４】
図２は、従来のワニ口クリップが設けられた誘導コードの一例の側面図である。
【０００５】
図２において、誘導コード１０の端部には、ワニ口クリップ２０が設けられている。ワニ口クリップ２０は一対の挟持部材２１ａ、２１ｂを有し、挟持部材２１ａ、２１ｂは、中央部２２に設けられた支軸（図示せず）により回動可能に結合されている。支軸はばね（図示せず）を有し、このばねにより、中央部２２よりも先端側に延在する挟持部２３ａ、２３ｂは閉じる方向に付勢されている。ワニ口クリップ２０により誘導コード１０と電極（図示せず）とを接続するときには、開閉操作部２４ｂを押さえつつ開閉操作部２４ａの操作面２５を押して開閉操作部２４ａ、２４ｂを閉じる操作を行うことにより挟持部２３ａ、２３ｂを一時的に開き、その後に挟持部２３ａ、２３ｂを閉じさせて挟持部２３ａ、２３ｂで電極を挟持する。
【０００６】
一対の開閉操作部２４ａ、２４ｂのうち開閉操作部２４ｂは、ワニ口クリップ２０と誘導コード１０とを電気的に接続するために誘導コード１０の先端部に連結されている。この連結部分はワニ口クリップカバー３０により保護されている。
【０００７】
図２に示すワニ口クリップカバー３０は、複数層のチューブにより構成された本体部を有し、本体部は連結部分に緊密に装着されている。連結部分の外周を直接的に被覆するのは絶縁用チューブ（図示せず）であり、その外周を耐屈曲性の緩衝用の熱収縮チューブ３１が被覆し、その外周を色付きチューブ３２が被覆し、その外周を記号付きチューブ３３が被覆し、その外周を透明チューブ（図示せず）が被覆する。なお、色付きチューブ３２及び記号付きチューブ３３は、規格に従って電極装着部位を色及び記号で表示するために設けられるチューブである。
【０００８】
連結部分において、絶縁用チューブ３１の先端部３４よりもワニ口クリップ２０側に位置する部分は、色付きチューブ３２のみにより被覆されているため、ワニ口クリップカバー３０は先細形状となっている。そして、開閉操作部２４ａ、２４ｂの開閉動作を可能にする開口部４０を十分に確保するために、先端部３４は開閉操作部２４ａの後端部よりも十分に後方に配置されている。
【先行技術文献】
【特許文献】
【０００９】
【特許文献１】実用新案登録第３０８３７６６号公報
【特許文献２】特表２００８−５２０２８８号公報
【発明の概要】
【発明が解決しようとする課題】
【００１０】
しかしながら、上記従来のワニ口クリップカバーにおいては、誘導コードを取り纏める際に誘導コードが開口部に侵入する場合がある。通常、心電図信号の計測に同時使用される複数本の誘導コードは結束されているため、開口部への誘導コードの侵入は頻繁に発生し得る。よって、使用時に誘導コードが絡みやすいという問題がある。
【００１１】
本発明は、かかる点に鑑みてなされたもので、誘導コードの絡みを防止することができる、誘導コードのワニ口クリップカバーを提供することを目的とする。
【課題を解決するための手段】
【００１２】
本発明のワニ口クリップカバーは、医療用電極に接続する誘導コードと前記誘導コードの端部に設けられたワニ口クリップとの連結部分を保護するワニ口クリップカバーであって、可撓性材料から成る本体部を有し、前記本体部は、前記ワニ口クリップの一対の開閉操作部のうち前記誘導コードとの前記連結部分を形成する第１の開閉操作部に接着される主部と、前記主部から分枝する枝部と、前記枝部の先端に形成され、前記一対の開閉操作部のうち第２の開閉操作部に結合する結合部と、を有する構成を採る。
【発明の効果】
【００１３】
本発明によれば、誘導コードの絡みを防止することができる。
【図面の簡単な説明】
【００１４】
【図１】本発明の一実施の形態に係るワニ口クリップカバーが設けられた誘導コードの側面図
【図２】従来のワニ口クリップカバーが設けられた誘導コードの側面図
【発明を実施するための形態】
【００１５】
以下、本発明の実施の形態について、図面を用いて詳細に説明する。
【００１６】
図１は、本発明の一実施の形態に係るワニ口クリップカバーが設けられた誘導コードの側面図である。なお、図１に示す構成は、ワニ口クリップカバーの構成を除いて、図２に示す構成と同一である。
【００１７】
図１において、誘導コード１０の端部には、ワニ口クリップ２０が設けられている。ワニ口クリップ２０は一対の挟持部材２１ａ、２１ｂを有し、挟持部材２１ａ、２１ｂは、中央部２２に設けられた支軸（図示せず）により回動可能に結合されている。支軸はばね（図示せず）を有し、このばねにより、中央部２２よりも先端側に延在する挟持部２３ａ、２３ｂは閉じる方向に付勢されている。ワニ口クリップ２０により誘導コード１０と電極（図示せず）とを接続するときには、開閉操作部２４ｂを押さえつつ開閉操作部２４ａの操作面（図２の操作面２５と同一）を押して開閉操作部２４ａ、２４ｂを閉じる操作を行うことにより挟持部２３ａ、２３ｂを一時的に開き、その後に挟持部２３ａ、２３ｂを閉じさせて挟持部２３ａ、２３ｂで電極を挟持する。
【００１８】
一対の開閉操作部２４ａ、２４ｂのうち開閉操作部２４ｂは、ワニ口クリップ２０と誘導コード１０とを電気的に接続するために、はんだ付けしたり、或いは、かしめたりすることにより、誘導コード１０の先端部に連結されている。この連結部分はワニ口クリップカバー３０により保護されている。
【００１９】
図１に示すワニ口クリップカバー３０は、ゴムエラストマー等の可撓性材料から成る一体型の成型品によって構成されている。この成型品は、全体が規定に従って一色に色付けされているため、従来のワニ口クリップカバーのように色付きチューブを巻回する必要がない。したがって、加工工程を削減することができ、また、誘導コードの耐屈曲性能を改善することができる。さらに、使用時に、電極装着位置の確認を容易にすることができる。
【００２０】
ワニ口クリップカバー３０は、ワニ口クリップ２０と誘導コード１０との連結部分を保護するために開閉操作部２４ｂに接着された主部３５を含む。主部３５の中央部には記号表示部３６が設けられており、ここに記号が成形されているため、従来のワニ口クリップカバーのように記号付きチューブを巻回する必要がない。したがって、加工工程を削減することができ、また、誘導の耐屈曲性能を改善することができる。
【００２１】
主部３５の中央部からは枝部３７が分枝している。枝部３７の先端部には、開閉操作部２４ａを内部に嵌め入れることにより開閉操作部２４ａに結合される結合部としての嵌着部３８が形成されている。嵌着部３８は、開閉操作部２４ａの操作面（図２の操作面２５と同一）を被覆する被覆部３９を含み、被覆部３９は、枝部３７から延在して形成されている。このため、開閉操作の際に指が接触する部分の面積を増加させることができ、ワニ口クリップ２０の操作性を向上させることができる。
【００２２】
以上のように、本実施の形態によれば、一方の開閉操作部２４ｂに装着される主部３５から枝部３７を分枝させ、枝部３７の先端部分を他方の開閉操作部２４ａに結合させる。このため、開閉操作部２４ａ、２４ｂ間の開口部４０が塞がれて、開口部４０に誘導コード１０や他の誘導コードが侵入することが防止される。このため、誘導コードの絡みを防止することができる。
【００２３】
また、本実施の形態においては、ワニ口クリップカバー３０を、電極装着部位識別記号が形成され且つ一色に着色された一体成型品により構成したため、加工工程を著しく簡略化することができる。
【００２４】
以上、本発明の実施の形態について説明した。なお、以上の説明は本発明の好適な実施の形態の例証であり、本発明の範囲はこれに限定されない。つまり、上記装置の構成および使用時の動作についての説明は一例であり、本発明の範囲においてこれらの例に対する様々な変更や追加が可能であることは明らかである。
【符号の説明】
【００２５】
１０  誘導コード
２０  ワニ口クリップ
２１ａ、２１ｂ  挟持部材
２２  中央部
２３ａ、２３ｂ  挟持部
２４ａ、２４ｂ  開閉操作部
３０  ワニ口クリップカバー
３５  主部
３６  記号表示部
３７  枝部
３８  嵌着部
３９  被覆部
４０  開口部
【図１】
2010233884.tif 000003
【図２】
2010233884.tif 000004